(57)【要約】【課題】栓体を軸筒から取り外す際、手の力の弱いユーザーでも容易な取り外しを可能にし、しかも、ネジ締め終了を確実に認識する。【解決手段】合成樹脂製の軸筒２の前端に開口部を設ける。軸筒２の開口部の内周面に雌ネジ部２１を一体に形成する。合成樹脂製の栓体３の外周面に、前記雌ネジ部２１と螺合可能な雄ネジ部３１を一体に形成する。前記螺合により軸筒２と栓体３とを着脱自在に構成する。雄ネジ部３１より前方の栓体３の外周面に、軸筒２と栓体３とを螺着させた際に軸筒２の開口部の前端が当接する段部３３を一体に形成する。軸筒２の雌ネジ部２１と栓体３の雄ネジ部３１とに所定以上の締め付けトルクが加わった場合、雌ネジ部２１のネジ山と雄ネジ部３１のネジ山とが互いに乗り越え、雌ネジ部２１と雄ネジ部３１とが一時的に空転する。【選択図】  図１
2005262770.tif 000002
【特許請求の範囲】
【請求項１】
合成樹脂製の軸筒の前端に開口部を設け、前記軸筒の開口部の内周面に雌ネジ部を一体に形成し、合成樹脂製の栓体の外周面に、前記雌ネジ部と螺合可能な雄ネジ部を一体に形成し、前記螺合により軸筒と栓体とを着脱自在に構成し、前記雄ネジ部より前方の栓体の外周面に、前記軸筒と前記栓体とを螺着させた際に軸筒の開口部の前端が当接する段部を一体に形成した筆記具であって、
前記軸筒の雌ネジ部と前記栓体の雄ネジ部とに所定以上の締め付けトルクが加わった場合、前記雌ネジ部のネジ山と前記雄ネジ部のネジ山とが互いに乗り越え、前記雌ネジ部と前記雄ネジ部とが一時的に空転するよう構成されたことを特徴とする筆記具。
【請求項２】
前記空転時の締め付けトルクが、３ｋｇｆ・ｃｍ〜１０ｋｇｆ・ｃｍの範囲である請求項１記載の筆記具。
【請求項３】
前記軸筒の最大外径及び前記栓体の最大外径が、１５ｍｍ〜３０ｍｍの範囲である請求項１または２記載の筆記具。
【発明の詳細な説明】
【技術分野】
【０００１】
本発明は、筆記具に関する。詳細には、軸筒と該軸筒の開口部に着脱自在な栓体（例えば、ペン先ホルダー、尾栓等）を備えた筆記具に関する。尚、本発明で、「前」とは、軸筒の開口部側及び栓体の段部側を指し、「後」とは、それらの反対側を指す。
【背景技術】
【０００２】
従来、軸筒内へのインキの補充や軸筒内のインキカートリッジの交換が可能な筆記具に関して、例えば特許文献１には、軸筒の分割、締結を容易にするために、軸筒の一部が分割可能に螺合される筆記具において、軸筒の少なくとも一方端の外周部を弾性体で被覆する筆記具が開示されている。
【０００３】
【特許文献１】特開２００３−３９８７８号公報
【発明の開示】
【発明が解決しようとする課題】
【０００４】
前記特許文献１の筆記具は、弾性体によりネジ締め時の滑り止めがなされ、ネジ締めが容易となる反面、ネジの締め過ぎを発生させやすい。前記ネジの締め過ぎが発生すると、軸筒を分割する際、手の力の弱いユーザーでは、軸筒の分割（即ち本発明における軸筒から栓体を取り外すこと）が困難となるおそれがある。また、前記特許文献１の筆記具は、ユーザーがどの程度ネジ締めを行えばよいか不明確であり、ネジの締め過ぎ、あるいはネジの締め不足を生じさせやすい。
【０００５】
本発明は前記従来の問題点を解決するものであって、ネジの締め過ぎを防止し、栓体を軸筒から取り外す際、手の力の弱いユーザーであっても取り外しが容易となり、しかも、ユーザーがネジ締め終了を確実に認識することができる筆記具を提供しようとするものである。
【課題を解決するための手段】
【０００６】
〔１〕本発明は、合成樹脂製の軸筒２の前端に開口部を設け、前記軸筒２の開口部の内周面に雌ネジ部２１を一体に形成し、合成樹脂製の栓体３の外周面に、前記雌ネジ部２１と螺合可能な雄ネジ部３１を一体に形成し、前記螺合により軸筒２と栓体３とを着脱自在に構成し、前記雄ネジ部３１より前方の栓体３の外周面に、軸筒２と栓体３とを螺着させた際に軸筒２の開口部の前端が当接する段部３３を一体に形成した筆記具であって、前記軸筒２の雌ネジ部２１と前記栓体３の雄ネジ部３１とに所定以上の締め付けトルクが加わった場合、前記雌ネジ部２１のネジ山と前記雄ネジ部３１のネジ山とが互いに乗り越え、前記雌ネジ部２１と前記雄ネジ部３１とが一時的に空転するよう構成されたこと（請求項１）を要件とする。
【０００７】
前記軸筒２の雌ネジ部２１と前記栓体３の雄ネジ部３１との間に所定以上の締め付けトルクが加わった場合、前記軸筒２の雌ネジ部２１と前記栓体３の雄ネジ部３１とが一時的に空転（即ち空回り）するため、軸筒２の雌ネジ部２１と栓体３の雄ネジ部３１とが、きつく締め付けられること（ネジの締め過ぎ）を防止できる。その結果、軸筒２を栓体３から取り外す際、手の力の弱いユーザーであっても、容易な取り外しが可能となる。また、前記軸筒２の雌ネジ部２１のネジ山と前記栓体３の雄ネジ部３１のネジ山とが互いを乗り越える際に、乗り越え音（いわゆるパッチン音）が発生するとともに、締め付けトルクの急激な減少を手応えにより感じさせ、ユーザーに締め付け作業の終了を確実に認識させることができる。
【０００８】
〔２〕前記請求項１の筆記具において、前記空転時の締め付けトルク（即ち、雌ネジ部２１と雄ネジ部３１とが空転する直前の最大締め付けトルク）が、３ｋｇｆ・ｃｍ〜１０ｋｇｆ・ｃｍ（好ましくは３ｋｇｆ・ｃｍ〜６ｋｇｆ・ｃｍ）の範囲であること（請求項１）が好ましい。
【０００９】
前記空転時の締め付けトルクが、３ｋｇｆ・ｃｍよりも小さい場合、ネジ締め付け不足が生じ、筆記具の使用により軸筒２と栓体３との螺着状態が緩むおそれがある。一方、前記空転時の締め付けトルクが、１０ｋｇｆ・ｃｍ（好ましくは６ｋｇｆ・ｃｍ）よりも大きい場合、ネジの締め過ぎを発生させ、栓体３の軸筒２からの取り外しが困難となる。
【００１０】
〔３〕前記請求項１または請求項２の筆記具において、軸筒２の最大外径及び栓体３の最大外径が、１５ｍｍ〜３０ｍｍ（好ましくは２０ｍｍ〜２５ｍｍ）の範囲であること（請求項３）が有効である。即ち、軸筒２の最大外径Ｄ１及び栓体３の最大外径Ｄ２が、前記範囲内にある筆記具において、前記請求項１または２の構成が有効に作用し、ネジの締め過ぎやネジの締め不足を、より一層、確実に防止できる。
【発明の効果】
【００１１】
請求項１の筆記具は、ネジの締め過ぎを防止し、栓体を軸筒から取り外す際、手の力の弱いユーザーであっても取り外しが容易となり、しかも、ユーザーがネジ締め終了を確実に認識することができる。
【００１２】
請求項２の筆記具は、ネジの締め過ぎやネジの締め付け不足を、より一層、防止できる。
【００１３】
請求項３の筆記具は、ネジの締め過ぎやネジの締め不足を、より一層、確実に防止できる。
【発明を実施するための最良の形態】
【００１４】
本発明を実施するための最良の形態を、以下、図面に従って説明する。
【００１５】
図１乃至図３に本発明の一実施例を示す。
本実施例の筆記具１は、内部にインキ吸蔵体５を収容した軸筒２と、該軸筒２の開口部に螺合により着脱自在に構成されたペン先ホルダー３（栓体）とからなる。前記ペン先ホルダー３には、ペン先４（例えば、繊維束の樹脂加工体）が圧入保持され、前記軸筒２内には毛細管力によりインキを保持するインキ吸蔵体５（例えば、繊維束の熱融着加工体、繊維束の樹脂加工体等）が収容されている。前記ペン先４の後端部は、前記インキ吸蔵体５の前端部と突き刺し状に接続され、一方、前記ペン先４の前端部は、外部に突出される。前記軸筒２の開口部より前記ペン先ホルダー３を取り外すことにより、軸筒２内のインキ吸蔵体５にインキを直接補充したり、インキが十分に含浸された別のインキ吸蔵体５と交換することができる。
【００１６】
前記軸筒２及び前記ペン先ホルダー３は、合成樹脂（例えば、ポリプロピレン、ポリエチレン、ポリカーボネート、ポリエチレンテレフタレート、ポリアセタール、ナイロン、ＡＢＳ樹脂等）の射出成形により得られる円筒体である。本実施例では、軸筒２及びペン先ホルダー３は、可撓性に優れ、空転してもネジ山が損傷しない点で、ポリプロピレンが採用されている。
【００１７】
前記軸筒２の開口部内面には、雌ネジ部２１が一体に形成されるとともに、該雌ネジ部２１後方に気密嵌合部２２が一体に形成される。本実施例では、前記軸筒２の開口部内面の気密嵌合部２２は環状突起よりなる。
【００１８】
前記ペン先ホルダー３は、ペン先４を保持する先細状の前部と、軸筒２の開口部に挿入可能な後部と、前記前部と後部との間に形成される鍔部が一体に連設されてなる。前記鍔部の後面は、軸筒２の開口部の前端と圧接可能な段部３３となる。
【００１９】
前記段部３３の後方のペン先ホルダー３の外周面（即ちペン先ホルダー３の後部の外周面）には、雄ネジ部３１が一体に形成されるとともに、該雄ネジ部３１の後方に気密嵌合部３２が一体に形成される。本実施例では、前記ペン先ホルダー３の外周面の気密嵌合部３２が環状平滑面よりなる。
【００２０】
図２に示すように、ペン先ホルダー３の雄ネジ部３１を軸筒２の開口部の雌ネジ部２１に螺着させると、雄ネジ部３１のネジ山と雌ネジ部２１のネジ山とが係合するとともに、ペン先ホルダー３の段部３３と軸筒２の前端とが前後方向に圧接する。
【００２１】
図２の状態から、さらに、ネジの締め付けトルクを増加させていくと、図３に示すように、雄ネジ部３１のネジ山と雌ネジ部２１のネジ山とが互いに乗り越えて、一時的に前記ネジ山同士の係合が解除され、雄ネジ部３１と雌ネジ部２１とが空転する。その際、ネジ山同士の乗り越えによる音（パッチン音）が発生するとともに、急激に締め付けトルクが減少する。それにより、ネジの締め過ぎを防止できるとときもに、ネジ締めの終了を確認することができる。前記空転時の締め付けトルクは、３ｋｇ・ｃｍ〜６ｋｇ・ｃｍの適正な範囲に設定され、少なくとも、螺着終了時の締め付けトルクは、前記空転時の範囲を越えることはない。また、前記軸筒２に螺着したペン先ホルダー３（栓体）を軸筒２より取り外す際のトルク（戻しトルク）は、前記空転時の締め付けトルクを越えることはない。尚、本実施例では、前記締め付けトルクは、株式会社東日製作所製のトルクメーターを用いて測定した。
【００２２】
前記軸筒２の最大外径Ｄ１、前記ペン先ホルダー３の最大外径Ｄ２は、螺着する前の取り外した状態において測定される。本実施例では、Ｄ１及びＤ２は２０ｍｍ〜２５ｍｍの範囲に設定されている。
【００２３】
前記雌ネジ部２１は、射出成形時、コアピンの無理抜きにより得られる。そのため、前記雌ネジ部２１のネジ山はアンダーカット部となる。前記雌ネジ部２１のネジ山の後面は、コアピンが容易に抜けるよう、後方に向かうに従って小さい外径を有する傾斜面状に形成される。前記雌ネジ部２１のネジ山の後面の傾斜角度α（即ち、ネジ山の後面と軸線Ｐとのなす角度）は、２０度〜４５度の範囲に設定される。それにより、射出成形時の離型が円滑となると同時に、過剰の締め付けトルクが加わった場合のネジ山同士の乗り越え（即ち空転）が容易となる。もし、前記傾斜角度αが２０度より小さい場合、空転時の締め付けトルクが低下し、ネジ締め付け不足を生じさせ、筆記具の使用により軸筒２と栓体３との螺着状態が緩むおそれがある。一方、前記傾斜角度αが４５度より大きい場合、空転時の締め付けトルクが増加し、ネジの締め過ぎを発生させ、栓体３の軸筒２からの取り外しが困難となるおそれがある。
【００２４】
前記雄ネジ部３１のネジ山頂点の外径と、前記雌ネジ部２１のネジ山頂点の内径との差は、０．２ｍｍ〜０．５ｍｍ（好ましくは０．３ｍｍ〜０．４ｍｍ）に設定される。それにより、適正な空転時の締め付けトルクを得る。前記雄ネジ部３１のネジ山頂点の外径と雌ネジ部２１のネジ山頂点の内径との差が、０．２ｍｍより小さい場合、螺着状態が維持できず、容易に緩んでしまうおそれがある。一方、前記雄ネジ部３１のネジ山頂点の外径と雌ネジ部２１のネジ山頂点の内径との差が、０．５ｍｍより大きい場合、空転時の締め付けトルクが大きくなり、ネジの締め過ぎを発生させるおそれがある。尚、前記ネジ山頂点の外径及びネジ山頂点の内径は、軸筒２とペン先ホルダー３（栓体）とを取り外した状態で測定する。
【００２５】
また、前記雌ネジ部２１と雄ネジ部３１とが空転する際、ネジ山同士が乗り越える構成であるため、前記気密嵌合部２２・３２（即ち環状突起と環状平滑面）は、密接状態のまま互いに前後に移動せず回転するのみであり、気密状態は維持される。また、前記気密嵌合部２２・３２は、雄ネジ部３１及び雌ネジ部２１の後方に位置しているため、空転時、雌ネジ部２１の径方向外方への変形の影響や、雄ネジ部３１の径方向内方への変形の影響を受けず、適正な気密状態が維持される。
【００２６】
尚、本実施例では、栓体として、ペン先ホルダーを採用したが、この他にも、軸筒２開口部を閉鎖する、ペン先を備えない部材（例えば尾栓）であってもよい。
【００２７】
尚、本発明において、軸筒２または栓体３の外面に、凹凸や弾性材料よりなる滑り止め部を設けてもよい。
【図面の簡単な説明】
【００２８】
【図１】本発明の実施例の要部縦断面図である。
【図２】図１の螺着時のＡ部拡大図である。
【図３】図１の空転時のＡ部拡大図である。
【符号の説明】
【００２９】
１  筆記具
２  軸筒
２１  雌ネジ部
２２  気密嵌合部（環状突起）
３  ペン先ホルダー（栓体）
３１  雄ネジ部
３２  気密嵌合部（環状平滑面）
３３  段部
４  ペン先
５  インキ吸蔵体
Ｄ１  軸筒の最大外径
Ｄ２  栓体の最大外径
【図１】
2005262770.tif 000003
【図２】
2005262770.tif 000004
【図３】
2005262770.tif 000005